(57)【要約】【課題】局所的に用紙厚さが変化する印刷用紙に対応できるドットインパクトプリンタを提供すること。【解決手段】印刷用紙Ｓの用紙厚さの変わる部分に対応して径を小さくすることにより印刷用紙Ｓにおける用紙厚さの差を吸収する形状としたプラテン１０を用いる。プラテン１０の長手方向に沿った用紙厚さの影響がなくなることから、印字されない場所を生じないばかりか、印字濃度の均一化を図ることができる。また、用紙厚さの差による印刷用紙の引っ掛かりが軽減され、用紙ジャムの発生を減らすことができる。【選択図】        図１
2004262104.tif 000002
【特許請求の範囲】
【請求項１】
印刷用紙の用紙厚さの変わる部分に対応して径を小さくすることにより印刷用紙における用紙厚さの差を吸収する形状としたプラテンを用いてなることを特徴とするドットインパクトプリンタ。
【請求項２】
プラテンを交換可能としたことを特徴とする請求項１に記載のドットインパクトプリンタ。
【発明の詳細な説明】
【０００１】
【発明の属する技術分野】
本発明は、ドットインパクトプリンタの技術分野に属し、詳しくは、印刷対象物である印刷用紙の用紙厚さの変化に対応したドットインパクトプリンタに関するものである。
【０００２】
【従来の技術】
一般に、ドットインパクトプリンタは、プラテン上に印刷用紙を装着するとともに印刷用紙の上にインクリボンを繰り出し、インクリボンに向けて印字ヘッドからヘッドピンを打ち出すことにより、印刷対象物としての印刷用紙に対して印字を行うように構成されている。
【０００３】
このドットインパクトプリンタは、用紙厚さの差がある印刷用紙を使用すると、印字されない場所ができたり、印字濃度に差ができてしまう。このため、プラテンの外周面の一部を金属部とし、複写伝票用紙の枚数に応じて、固定用ブラケットによりプラテンにおける印字ヘッドとの対向部を金属部又はそれ以外の部分に自在に切り換えるように構成したものが知られている（例えば、特許文献１参照。）。また、印字ヘッドと用紙との間のギャップを自動的に調整する機構を有したものも知られている（例えば、特許文献２参照。）。
【０００４】
【特許文献１】
特許第２５６５０８８号公報
【特許文献２】
特開平６−１５５８５３号公報
【０００５】
【発明が解決しようとする課題】
従来の技術で述べた特許文献１に記載のドットインパクトプリンタは、複写伝票用紙の枚数が多い場合でも充分な印刷濃度を確保できると共に用紙の少ない場合でもインクリボンの破損等の発生を防止し、複写伝票用紙の枚数に応じてプラテン材質を有効に活かした使い分けができるというものであるが、局所的に用紙厚さが変わる印刷用紙には対応できない。例えば、紙ホチキスのめくれや糊の厚みにより局所的に用紙厚さが変わるような印刷用紙に対しては、プラテンの長手方向に印字濃度差ができるという問題を解決することはできない。また、特許文献２に記載のドットインパクトプリンタは、印字ヘッドと用紙との間のギャップを精度よく調整できるが、特許文献１に記載のものと同様、局所的に用紙厚さが変わる用紙に対しては対応することができない。
【０００６】
本発明は、このような問題点に鑑みてなされたものであり、その目的とするところは、局所的に用紙厚さが変化する印刷用紙に対応できるドットインパクトプリンタを提供することにある。
【０００７】
【課題を解決するための手段】
上記の目的を達成するため、本発明のドットインパクトプリンタは、印刷用紙の用紙厚さの変わる部分に対応して径を小さくすることにより印刷用紙における用紙厚さの差を吸収する形状としたプラテンを用いてなることを特徴とするものである。
【０００８】
【発明の実施の形態】
以下、図面を参照して本発明の実施の形態について説明する。
【０００９】
図１は本発明に係るドットインパクトプリンタに用いるプラテンの一例を示す説明図であり、このプラテンは複写伝票等に印字を行う一般的なドットインパクトプリンタに用いられる。すなわち、このプラテンはプリンタの印字ヘッドに対向する所定位置に回転可能に装着される。そして、プラテンと印字ヘッドとの間にインクリボンが走行可能に配置されるとともに、複写伝票等の印刷用紙がプラテン上に供給され、印字ヘッドからヘッドピンを打ち出すことにより印刷用紙に対して印字が行われる。
【００１０】
従来のプラテンはローラー径が長手方向に均一であるが、図１に示すプラテン１０は、通常の径からなる中心部分１１の両端に小径部分１２を設けた形状をしている。このプラテン１０は、両サイドで用紙厚さが厚くなった印刷用紙Ｓ（複写伝票）に印字を行うドットインパクトプリンタに用いるタイプで、図示のように、印刷用紙Ｓの用紙厚さの変わる部分に対応してローラー径を小さくしたものである。すなわち、用紙厚さが変わった部分の逃げとするために対応する部位の外径を小さくしている。具体的には、印刷用紙の厚さを厳密に計測し、その計測値を基にしてプラテンの径を変えることで印刷用紙全体に対して良好な印字を行うようにしている。
【００１１】
両サイドで用紙厚さが厚くなった印刷用紙としては、紙ホチキスで綴じた複写伝票が挙げられる。この紙ホチキスを利用した複写伝票の一部拡大図を図２に示す。図２において１は伝票用紙、２は伝票用紙の両サイドに設けられた搬送用のマージナルパンチ、３は紙ホチキスとして機能するＵ字状の切込みであり、複数枚の用紙を丁合した後にこの切込みを入れることで伝票用紙１を綴じた状態としている。このような紙ホチキスで綴じられた伝票用紙１は、用紙搬送中にめくれて局部的に用紙厚さが変わってしまうことが起きるが、ドットインパクトプリンタで印字する時に、プラテン１０の両端が細くなっているので、用紙厚さの変化に対応して良好な印字を行うことができる。
【００１２】
図３、図４は本発明に係るドットインパクトプリンタに用いるプラテンの別の例を示す説明図であり、図示のプラテンは、複数のローラーを長手方向に分割・組立できるようにしたものである。各ローラー間の接続手段としては、ネジや嵌め合わせなどの公知の手段を用いればよい。
【００１３】
図３に示すプラテン２０は、印刷用紙Ｓの搬送方向の中ほどにある凸部分に対応させて３個のローラー２１，２２，２３を繋げたものであり、図示のように、通常の径のローラー２１，２３の間に小径のローラー２２を介在させた状態で組み立てている。また、図４に示すプラテン３０は、印刷用紙Ｓの搬送方向の途中にある大小２箇所の凸部分に対応させて５個のローラー３１，３２，３３，３４，３５を繋げて組み立てたものであり、図示のように、通常の径のローラー３１，３３，３５の間にそれぞれ大小の凸部分に対応して径が異なる小径のローラー３２，３４を介在させている。このように、図３及び図４に示すプラテンは、プリンタに掛けようとする印刷用紙の用紙厚さが異なる場所に対応した形状をしているので、このプラテンを用いることにより、当該印刷用紙の用紙厚さの変化に対応して良好な印字を行うことができる。
【００１４】
そして、本発明のドットインパクトプリンタは、用いるプラテンを交換可能とすることで、用紙厚さが変わる場所が異なった各種の印刷用紙についてもそれに対応したプラテンを用いて対応することができる。
【００１５】
図５は本発明に係るドットインパクトプリンタに用いるプラテンの具体例を示す説明図である。このプラテン４０は、カード付き帳票５０に印字を行う際に用いるものであり、４個のローラー４１，４２，４３，４４を長手方向に繋げて構成されている。
【００１６】
印刷対象となるカード付き帳票５０は、最下の用紙５１にクレジットカードやキャッシュカード等のカード５４が貼付された状態で３枚の用紙５１，５２，５３が一端で糊５５により綴じ合わされたものであり、カード５４を個人に郵送するに際して、宛名を始めとする所定事項をドットインパクトプリンタにより印字が施される。図示のプラテン４０は、この印字の際に用いるものであり、カード５４と糊５５により用紙厚さが変わる部分に対応させて、通常の径のローラー４２，４４と小径のローラー４１，４３を組み合わせて構成されている。このプラテン４０を用いることにより、カード付き帳票５０の用紙厚さの変化に対応して良好な印字を行うことができる。
【００１７】
以上、本発明の実施の形態について詳細に説明してきたが、本発明によるドットインパクトプリンタは、上記実施の形態に何ら限定されるものではなく、本発明の趣旨を逸脱しない範囲において種々の変更が可能であることは当然のことである。
【００１８】
【発明の効果】
本発明のドットインパクトプリンタは、印刷用紙の用紙厚さの変わる部分に対応して径を小さくすることにより印刷用紙における用紙厚さの差を吸収する形状としたプラテンを用いてなることを特徴としているので、プラテンの長手方向に沿った用紙厚さの影響がなくなることから、印字されない場所を生じないばかりか、印字濃度の均一化を図ることができる。また、用紙厚さの差による印刷用紙の引っ掛かりが軽減され、用紙ジャムの発生を減らすことができる。
【００１９】
また、プラテンを交換可能とすることにより、用紙厚さによってプラテンの径を変更できるようになり、最適な印字濃度を得ることができるし、用紙厚さの異なる場所が特定されないという汎用性を持たせることができる。
【図面の簡単な説明】
【図１】本発明に係るドットインパクトプリンタに用いるプラテンの一例を示す説明図である。
【図２】紙ホチキスを利用した複写伝票の一部拡大図である。
【図３】本発明に係るドットインパクトプリンタに用いるプラテンの別の例を示す説明図である。
【図４】本発明に係るドットインパクトプリンタに用いるプラテンの別の例を示す説明図である。
【図５】本発明に係るドットインパクトプリンタに用いるプラテンの具体例を示す説明図である。
【符号の説明】
Ｓ  印刷用紙
１  伝票用紙
２  マージナルパンチ
３  切込み
１０  プラテン
１１  中心部分
１２  小径部分
２０  プラテン
２１，２２，２３  ローラー
３０  プラテン
３１，３２，３３，３４，３５  ローラー
４０  プラテン
４１，４２，４３，４４  ローラー
５０  カード付き帳票
５１，５２，５３  用紙
５４  カード
５５  糊
【図１】
2004262104.tif 000003
【図２】
2004262104.tif 000004
【図３】
2004262104.tif 000005
【図４】
2004262104.tif 000006
【図５】
2004262104.tif 000007